(57)【要約】 【課題】  階層内における設定項目の移動を認識可能な光電センサ及びその表示手段の表示制御方法を提供する。【解決手段】  複数の機能それぞれに対応するとともに、階層構造に分類された複数の設定項目のうち１つの設定項目を選択的に７セグメントＬＥＤ２３，２４に表示し、その現在表示されている設定項目を、それより下位階層の設定項目へジョグスイッチ１８により切換表示可能とし、その操作に基づき７セグメントＬＥＤ２３，２４に現在表示されている設定項目を切換表示する制御を行うＣＰＵ１５とを備えた光電センサ１０において、ＣＰＵ１５は、ジョグスイッチ１８によって切換操作されたとき、その切換操作が中層（上位階層）の設定項目へのものか、下層（下位階層）の設定項目へのものかによって互いに異なる方向にスライド移動する表示態様を、切換表示の過程において７セグメントＬＥＤ２３，２４に表示させる。【選択図】  図３
2005195631.tif 000002
【特許請求の範囲】
【請求項１】
複数の機能のそれぞれに対応するとともに、階層構造に分類された複数の設定項目を１つずつ表示可能な表示手段と、
前記表示手段に現在表示されている設定項目をそれより上位階層または下位階層の設定項目へ切換表示させるための操作手段とを備えた検出センサの表示手段の表示制御方法において、
前記操作手段によって切換操作されたとき、その切換操作が前記上位階層の設定項目へのものか、前記下位階層の設定項目へのものかによって表示の変化が互いに異なる方向に移動する表示態様を、前記切換表示の過程において前記表示手段に表示させることを特徴とする検出センサの表示手段の表示制御方法。
【請求項２】
複数の機能のそれぞれに対応するとともに、階層構造に分類された複数の設定項目を１つずつ表示可能な表示手段と、
前記表示手段に現在表示されている設定項目をそれより上位階層または下位階層の設定項目へ切換表示させるための操作手段と、
前記操作手段による操作に基づき前記表示手段に現在表示されている設定項目を前記切換表示する制御を行う表示制御手段とを備えた検出センサにおいて、
前記表示制御手段は、前記操作手段によって切換操作されたとき、その切換操作が前記上位階層の設定項目へのものか、前記下位階層の設定項目へのものかによって表示の変化が互いに異なる方向に移動する表示態様を、前記切換表示の過程において前記表示手段に表示させることを特徴とする検出センサ。
【請求項３】
前記表示態様は、前記切換操作前の設定項目または前記切換操作後の設定項目のうち少なくともいずれか一方の設定項目をスライド移動させることを特徴とする請求項２記載の検出センサ。
【請求項４】
前記表示手段に表示される前記切換操作後の設定項目よりも一段上位階層の設定項目が表示されるサブ表示手段が設けられていることを特徴とする請求項２又は請求項３記載の検出センサ。
【請求項５】
前記サブ表示手段は、前記表示手段に対して前記表示態様の表示の変化が移動する方向に隣接配置されていることを特徴とする請求項４記載の検出センサ。
【発明の詳細な説明】
【技術分野】
【０００１】
本発明は、検出センサ及びその表示手段の表示制御方法に関する。
【背景技術】
【０００２】
例えば、物体の検出等に用いられる検出センサは、近年、多機能化の傾向にあり、それぞれの機能ごとに階層構造に分類された複数の設定項目を１つずつ表示可能なディスプレイ等の表示手段が備えられているものがある。そして、作業者が表示手段に現在表示されている設定項目を視認しつつ、上位階層又は下位階層の設定項目へ切換操作することにより、所望の機能を選択できるようになっている（下記、特許文献１参照）。
【特許文献１】特開２００２−２７８６８４公報
【発明の開示】
【発明が解決しようとする課題】
【０００３】
しかしながら、設定項目の切換え作業に慣れていない作業者の場合には、階層構造を十分に把握しておらず、表示手段に表示されている設定項目を視認しながら作業を行なっていたとしても、切換操作により現在の設定項目が上位階層へ移動したのか或いは下位階層へ移動したのかを十分に認識することが困難であった。
【０００４】
本発明は上記のような事情に基づいて完成されたものであって、設定項目の上位階層又は下位階層への移動を認識可能な検出センサ及びその表示手段の表示制御方法を提供することを目的とする。
【課題を解決するための手段】
【０００５】
上記の目的を達成するための手段として、請求項１の発明は、複数の機能のそれぞれに対応するとともに、階層構造に分類された複数の設定項目を１つずつ表示可能な表示手段と、前記表示手段に現在表示されている設定項目をそれより上位階層または下位階層の設定項目へ切換表示させるための操作手段とを備えた検出センサの表示手段の表示制御方法において、前記操作手段によって切換操作されたとき、その切換操作が前記上位階層の設定項目へのものか、前記下位階層の設定項目へのものかによって表示の変化が互いに異なる方向に移動する表示態様を、前記切換表示の過程において前記表示手段に表示させる構成としたところに特徴を有する。
なお、「検出センサ」とは、物体の存在による物理量（光、磁気、熱、超音波、圧力等）変化に基いて検出動作するものをいう。また、「移動する表示態様」には、例えば、スライド移動等が含まれるものである。
【０００６】
請求項２の発明は、複数の機能のそれぞれに対応するとともに、階層構造に分類された複数の設定項目を１つずつ表示可能な表示手段と、前記表示手段に現在表示されている設定項目をそれより上位階層または下位階層の設定項目へ切換表示させるための操作手段と、前記操作手段による操作に基づき前記表示手段に現在表示されている設定項目を前記切換表示する制御を行う表示制御手段とを備えた検出センサにおいて、前記表示制御手段は、前記操作手段によって切換操作されたとき、その切換操作が前記上位階層の設定項目へのものか、前記下位階層の設定項目へのものかによって表示の変化が互いに異なる方向に移動する表示態様を、前記切換表示の過程において前記表示手段に表示させるところに特徴を有する。
【０００７】
請求項３の発明は、請求項２に記載のものにおいて、前記表示態様は、前記切換操作前の設定項目または前記切換操作後の設定項目のうち少なくともいずれか一方の設定項目をスライド移動させるところに特徴を有する。
【０００８】
請求項４の発明は、請求項２又は請求項３に記載のものにおいて、前記表示手段に表示される前記切換操作後の設定項目よりも一段上位階層の設定項目が表示されるサブ表示手段が設けられているところに特徴を有する。
【０００９】
請求項５の発明は、請求項４に記載のものにおいて、前記サブ表示手段は、前記表示手段に対して前記表示態様の表示の変化が移動する方向に隣接配置されているところに特徴を有する。
【発明の効果】
【００１０】
＜請求項１及び請求項２の発明＞
本構成によれば、操作手段によって切換操作されたとき、その切換操作が上位階層の設定項目へのものか、下位階層の設定項目へのものかによって表示の変化が互いに異なる方向に移動する表示態様を、切換表示の過程において表示手段に表示させるから、設定項目が上位階層又は下位階層のいずれに移動するかを視覚的に認識することができる。
【００１１】
＜請求項３の発明＞
本構成によれば、切換操作前の設定項目または切換操作後の設定項目のうち少なくもいずれか一方の設定項目をスライド移動させるから、設定項目が上位階層又は下位階層のいずれに移動するかを容易に認識することができる。
【００１２】
＜請求項４の発明＞
本構成によれば、切換操作後の設定項目と、その上位階層の設定項目が、表示手段とサブ表示手段とにそれぞれ表示されるから、切換操作後の階層内における設定項目の位置が把握しやすくなる。
【００１３】
＜請求項５の発明＞
本構成によれば、サブ表示手段は、表示手段に対して表示態様の表示の変化が移動する方向に隣接配置されているから、切換操作前の設定項目と切換操作後の設定項目とが並んで表示され、階層内における設定項目の位置を視認しやすくなる。なお、操作手段により一方向へのスライド移動させるための切換操作がされたときには、切換操作前の設定項目を、表示手段からサブ表示手段へと連続的にスライド移動させて当該サブ表示手段に表示させるよう表示制御手段に制御させるようにしてもよい。
【発明を実施するための最良の形態】
【００１４】
＜実施形態１＞
本発明の実施形態１を図１ないし図３によって説明する。
１．検出センサの全体構成
本発明を適用した検出センサとしての光電センサ１０のハードウエア上の構成を図１に示す。例えば順次搬送される被検出物体Ｗの搬送経路（同図で白抜き矢印方向）を横から挟むように投光素子１１及び受光素子１３とを対向配置して構成される、いわゆる透過型の光電センサである。
【００１５】
具体的には、光電センサ１０は、同図に示すように、投光素子１１を備えた投光回路１２と、受光素子１３を備えた受光回路１４とＣＰＵ１５とを備えている。このうち投光回路１２はＣＰＵ１５からのパルス信号を受けて投光素子１１を周期的に発光させる。そして、投光素子１１から出射され受光素子１３に至った光は受光素子１３にて光電変換され受光回路１４で増幅されて、受光素子１３での受光量に応じたレベルの出力信号としてＡ／Ｄ変換された後にＣＰＵ１５に与えられる。つまり、投光素子１１から出射され受光素子１３に至る光路（検出領域）内への被検出物体Ｗの進入量に応じたレベルの出力信号（アナログ信号）が受光回路１４から出力されるのである。そして、ＣＰＵ１５に与えられた出力信号のレベルは、検出用閾値と大小比較され、その比較結果に応じて反転する検出信号を出力回路１６に与えるとともに、動作表示灯１７を点灯させる。
【００１６】
ここで、光電センサ１０は、複数の機能（例えば、閾値設定、アジャスト設定等）のそれぞれに対応した複数の設定項目を１つずつ表示可能なデジタル表示器２１（本発明の「表示手段」に相当する）を備えている。
デジタル表示器２１は、表示回路２０によって駆動される４桁の７セグメントＬＥＤ２３，２４を二つ直列に接続し、８桁の７セグメントＬＥＤを構成するようになっている。なお、これらのうち、上４桁の７セグメントＬＥＤ２３が本発明の「サブ表示手段」相当し、下４桁の７セグメントＬＥＤ２４が本発明の「表示手段」相当する。
【００１７】
さらに、光電センサ１０は、作業者によって入力操作可能に構成されるモードキー２２及びジョグスイッチ１８（登録商標）を備えた構成をなしている。なお、モードキー２２又はジョグスイッチ１８はともにスイッチ入力回路１９を介してＣＰＵ１５に接続されており、これらモードキー２２及びジョグスイッチ１８が本発明の「操作手段」を構成する。
【００１８】
ここで、本実施形態において、設定項目は、機能に応じて関連するもの同士がまとめられて上層、中層、下層の三層の階層構造に分類されており（図２（ａ）には、最上位の層である上層の設定項目が示され、図２（ｂ）には、上層の一段下位の層である中層の設定項目と、更にその一段下位の層（最下位の層）である下層の設定項目が示されている）、後述するように、モードキー２２又はジョグスイッチ１８の切換え操作に応じた階層の設定項目がデジタル表示器２１に表示されるようになっている。
【００１９】
モードキー２２は、図２（ａ）に示すように、下４桁の７セグメントＬＥＤ２４に最上位の層である上層の設定項目「ＲＵＮ」（被検出物体Ｗの検出動作を実行する通常検出状態）が表示されているときに押すと、順次上層の設定項目を切換えるようになっている。具体的には、モードキー２２を押すと、まず下４桁の７セグメントＬＥＤ２４の表示が「ＲＵＮ」から「ＴＥＡＣＨ」（自動で検出用閾値を設定）に切り換わる。その後、モードキー２２を押すごとに、「ＡＤＪ」（アジャスト設定）→「Ｌ／Ｄ  ＯＮ」（投光素子１１からの投光量調整）→「ＴＩＭＥＲ」（タイマ動作設定）→「ＰＲＯ」（詳細設定）→「ＲＵＮ」（通常検出状態）とループ状に設定項目が切り換わるようになっている。また、このモードキー２２は、中層又は下層の設定項目が選択されているときに押されると、下４桁の７セグメントＬＥＤ２４に表示される設定項目を一段上位の層の設定項目に切換える機能を兼ねた構成とされている。
【００２０】
また、ジョグスイッチ１８は、その構造的な詳細について図示はしないが、手指にて回転操作される操作ホイールを備え、その操作ホイールを回転させる（倒す）ことによりデジタル表示器２１に文字等を表示することができると共に、その操作ホイールを所望な位置で押圧操作することにより、デジタル表示器２１に表示されている文字等を確定させることができる。
【００２１】
具体的な操作は、例えば、上層の設定項目である「ＰＲＯ」において、ジョグスイッチ１８を＋側へ１回倒すごとに、図２（ｂ）に示すように、一段下位である中層の「ＰＲＯ１」→「ＰＲＯ２」→「ＰＲＯ３］→「ＰＲＯ４」→「ＰＲＯ５」→「ＰＲＯ１」とループ状に設定項目が切り換わるようになっている。
【００２２】
ここで例えば、「ＰＲＯ１」においてジョグスイッチ１８を押圧操作（本発明の「切換操作」に相当する）すると、一段下位である下層の設定項目の「ＳＰＥｄ」（応答時間切換）に切り換わる（この切換えの際にデジタル表示器２１に表示される文字の表示態様については後に詳述する）。
【００２３】
なお、応答時間切換を行いたいときはこの状態でもう一度ジョグスイッチ１８を押圧操作すると、応答時間切換の設定画面に切り換わって応答時間が設定可能となる。他の設定をしたいときは、「ＳＰＥｄ」からジョグスイッチ１８を＋側へ倒すと、その回数によって、ＳＰＥｄ（応答時間切換）→ｄＥＬＹ（タイマ設定）→ＨＹＳ（ヒステリシス）→Ｓｔｂ（スタビリティ）→ＳＨＦｔ（シフト）→ＳＰＥｄ（応答時間切換）とループ状に順次切り換わることとなる。そして、所望の状態でジョグスイッチ１８を押圧操作すると、そのとき下４桁の７セグメントＬＥＤ２４に表示される設定項目が確定され、その設定が行えることとなる。設定が終わった状態で、モードキー２２を２秒以上押し続けると「ＲＵＮ」状態に復帰して通常検出を再開することとなる。モードキー２２を何回か押して設定項目を「ＲＵＮ」に戻すこともできる。
【００２４】
２．ＣＰＵの処理
ＣＰＵ１５は、被検出物体Ｗの有無により変化する出力信号レベルと、検出用閾値とを大小比較し、その比較結果に応じて反転する検出信号を出力回路１６に与えると共に、動作表示灯１７を点灯させる。なお、本実施形態では出力信号レベルが検出用閾値を下回ったときに動作表示灯１７が点灯するように構成されている。また、この検出用閾値は、例えば上記検出領域内に被検出物体Ｗが存在する場合と存在しない場合との出力信号レベルを取得し、それらの間（例えば中間レベル）に自動で検出用閾値を設定可能な設定項目「ＴＥＡＣＨ」のときに設定される。
【００２５】
また、上層の設定項目が下４桁の７セグメントＬＥＤ２４に表示されている際に、スイッチ入力回路１９からモードキー２２が押されたという信号をＣＰＵ１５が受けると、ＣＰＵ１５は表示回路２０に制御信号を与えて、上層の他の設定項目を定められた順序に従って下４桁の７セグメントＬＥＤ２４に表示させる。一方、それ以外の中層、下層の設定項目が下４桁の７セグメントＬＥＤ２４に表示されている際に、スイッチ入力回路１９からモードキー２２が押されたという信号をＣＰＵ１５が受けると、一段上層の設定項目を後述する表示態様で下４桁の７セグメントＬＥＤ２４に表示させる。
【００２６】
さらに、ＣＰＵ１５は、中層、下層の設定項目が下４桁の７セグメントＬＥＤ２４に表示されている際に、スイッチ入力回路１９からジョグスイッチ１８が＋側へ倒されたという信号を受けると、下４桁の７セグメントＬＥＤ２４の表示を定められた順序に従って同層の設定項目に切換える。一方、上層、中層の設定項目が下４桁の７セグメントＬＥＤ２４に表示されている際に、ジョグスイッチ１８が押圧操作されたという信号を受けると、下４桁の７セグメントＬＥＤ２４の表示を後述する表示態様で一段下層の設定項目に切換える。なお、下層の設定項目が下４桁の７セグメントＬＥＤ２４に表示されている際に、ジョグスイッチ１８が押圧操作された場合には、その設定項目を設定し、所定の機能が利用できるようになる。また、ＣＰＵ１５は本発明の「表示制御手段」に相当する。
【００２７】
３．デジタル表示器の表示態様
以下、上位階層（下位階層）から一段下位（上位）に位置する階層に切換えた際における７セグメントＬＥＤ２３，２４（デジタル表示器２１）の表示態様を図３を用いて説明する。なお、以下では、中層の設定項目の一つである「Ｐｒｏ１」が表示されている際に、ジョグスイッチ１８を押圧操作して、一段下位の階層である下層の設定項目「ＳＰＥｄ」に切換える場合を例として説明する。
【００２８】
（１）８桁の７セグメントＬＥＤ２３，２４の下４桁には、図３（ａ）に示すように、現在の設定項目である「Ｐｒｏ１」が表示されている（Ａ１）。このとき、ジョグスイッチ１８が押圧操作されると、「Ｐｒｏ１」の表示が一桁ずつ左側に連続的にスライド移動していき（実線矢印方向Ａ２〜Ａ４）、「Ｐｒｏ１」の表示が上４桁の７セグメントＬＥＤ２３まで移動した時点でスライド移動が止まる（Ａ５）。そして、そのとき何ら表示されなくなった下４桁の７セグメントＬＥＤ２４の部分に一段下位の階層である下層の「ＳＰＥｄ」の４文字が同時に点灯表示される（Ａ６）。なお、ここで下層の設定項目「ＳＰＥｄ」を同層（下層）の他の設定項目に切り換える場合には、ジョグスイッチ１８を＋側に倒すと上４桁の７セグメントＬＥＤ２３に表示された「Ｐｒｏ１」の表示が残されたまま、下４桁の部分に「ＳＰＥｄ」の４文字が同時に消灯し、同層（下層）の他の設定項目である「ｄＥＬＹ」の４文字が同時に点灯表示される。
【００２９】
なお、逆に下層から中層に移動する場合には、モードキー２２を押すことにより、上記した表示態様と逆の表示態様（点線矢印方向Ａ６〜Ａ１）で表示される。
このように、上位の階層（中層）から下位の階層（下層）に移動する場合には、表示されていた上位の階層（中層）の設定項目を左側にスライド移動させ、一方、下位の階層（下層）から上位の階層（中層）に移動する場合には表示されていた上位の階層（中層）の設定項目を右側にスライド移動させるようにしておけば、作業者は上位階層又は下位階層のいずれに移動したのかを視覚的に認識することが容易になる。また、下層の設定項目「ＳＰＥｄ」を同層（下層）の他の設定項目に切り換える場合には、スライド移動しないので、同層（下層）に移動したことが認識できる。
【００３０】
また、切換操作前の設定項目「Ｐｒｏ１」を、下４桁の７セグメントＬＥＤ２４から下４桁の７セグメントＬＥＤ２４に隣接配置された上４桁の７セグメントＬＥＤ２３へと連続的にスライド移動させて、上４桁の７セグメントＬＥＤ２３に表示させるとともに、切換操作後の設定項目「ＳＰＥｄ」を下４桁の７セグメントＬＥＤ２４に表示させることにより、切換操作前の設定項目「Ｐｒｏ１」と切換操作後の設定項目「ＳＰＥｄ」とが並んで表示され、階層内における設定項目の位置が把握しやすくなる。
【００３１】
（２）なお、８桁の７セグメントＬＥＤ２３，２４ではなく、下４桁の７セグメントＬＥＤ２４のみを用いることもできる。この場合は、図３（ｂ）に示すように、８桁の７セグメントＬＥＤ２３，２４で表示されたもののうち、下４桁の７セグメントＬＥＤ２４の部分のみが表示されることになるが、かかる場合であっても、スライド移動する方向によって階層内の移動を認識できる。
このようにすれば、上４桁の７セグメントＬＥＤ２３が必要ないから、部品点数を削減することができる。
【００３２】
＜実施形態２＞
前記実施形態１では、上位の層(中層）の設定項目「Ｐｒｏ１」（切換操作前の設定項目）をスライド移動させる表示態様としたが、本実施形態では、図４，図５に示すように、下位の層（下層）の設定項目「ＳＰＥｄ」（切換操作後の設定項目）をスライド移動させる表示態様とするものである。前記実施形態１と同一の構成については、同一符号を付して重複する説明を省略し、異なるところのみを次に説明する。なお、以下の説明においては、８桁の７セグメントＬＥＤ２３，２４を用いること及び４桁の７セグメントＬＥＤ２４を用いて下４桁のみを表示してもよい。したがって、以下の図では上４桁の７セグメントＬＥＤ２３が点線で表示されている。
【００３３】
（１）図４は、下層の設定項目「ＳＰＥｄ」を下４桁の７セグメントＬＥＤ２４内において左側にスライド移動させたものである。具体的には、下４桁の７セグメントＬＥＤ２４に表示された中層の「Ｐｒｏ１」（Ｂ１）が上４桁の７セグメントＬＥＤ２３に移動するとともに、下４桁の７セグメントＬＥＤ２４内の右側から左側へ向かって下層の設定項目「ＳＰＥｄ」がスライド移動し（Ｂ２〜Ｂ４）、下４桁の７セグメントＬＥＤ２４に「ＳＰＥｄ」と表示された時点でスライド移動が止まる（Ｂ５）。
【００３４】
（２）図５は、下位の層（下層）の設定項目「ＳＰＥｄ」のうち、一文字を順に消灯させたものである。具体的には、下４桁の７セグメントＬＥＤ２４に表示された中層の「Ｐｒｏ１」（Ｃ１）が上４桁の７セグメントＬＥＤ２３に移動するとともに、下４桁の７セグメントＬＥＤ２４内の左端から右端まで下層の設定項目「ＳＰＥｄ」のうちの消灯された文字がスライド移動した後（Ｃ２〜Ｃ５）、下４桁の７セグメントＬＥＤ２４の全てに「ＳＰＥｄ」と表示される（Ｃ６）。
【００３５】
このようにすれば、設定項目が中層（上位階層）又は下層（下位階層）のいずれに移動するかを認識することができる。
【００３６】
＜実施形態３＞
実施形態１，２では、上位の層(中層）の設定項目又は、下位の層（下層）の設定項目をスライド移動させる表示態様としたが、本実施形態は、図６に示すように、設定項目をスライド移動させるのではなく、セグメントの表示態様により階層の移動方向を認識できるようにしたものである。
【００３７】
具体的には、下４桁の７セグメントＬＥＤ２４に表示された中層の「Ｐｒｏ１」（Ｄ１）が上４桁の７セグメントＬＥＤ２３に移動するとともに、下４桁の７セグメントＬＥＤ２４のうちの左端から順に右端まで下端の一つのセグメントを４桁全てが点灯するまで新たに点灯させていく（Ｄ２〜Ｄ５）。そして、下４桁の７セグメントＬＥＤ２４の下端の全てのセグメントが点灯すると、下端のセグメントが消灯し、代わりに「ＳＰＥｄ」が表示される（Ｄ６）。なお、点灯させるセグメントは階層の移動方向を表示できれば、下端でなくてもよく、７セグメントのうちの他の位置のセグメントであってもよい。
【００３８】
このようにすれば、ジョグスイッチ１８による切換操作（押圧操作）が中層（上位階層）の設定項目へのものか、下層（下位階層）の設定項目へのものかによって表示の変化が互いに異なる方向に移動する表示態様を、切換表示の過程において下４桁の７セグメントＬＥＤ２４に表示させるから、設定項目が上位階層又は下位階層のいずれに移動するかを視覚的に認識することができる。
【００３９】
＜実施形態４＞
実施形態１，２では、７セグメントＬＥＤの表示を横（左右）方向にスライド移動させたが、本実施形態は、７セグメントＬＥＤの表示を縦（上下）方向にスライド移動させるものである。
【００４０】
具体的には、図７に示すように、４桁の７セグメントＬＥＤ４０，４１が上下二段設けられ、このうち上段の７セグメントＬＥＤ４０に中層（上位の階層）が表示され、下段の７セグメントＬＥＤ４１に下層（下位の階層）が表示されるようになっている。
【００４１】
下段の７セグメントＬＥＤ４１には、図７に示すように、まず現在の設定項目である中層の「Ｐｒｏ１」が表示されている（Ｅ１）。このとき、ジョグスイッチ１８が押圧操作されると、「Ｐｒｏ１」の表示が一セグメントずつ上側にスライド移動していく（実線矢印方向Ｅ２，Ｅ３）。そして、上段の７セグメントＬＥＤ４０は、「Ｐｒｏ１」が表示されるとそのままの状態で止まり、一方、下段の７セグメントＬＥＤ４１は下方から上方に向けて下層の「ＳＰＥｄ」がスライド移動し始め（Ｅ４，Ｅ５）、下段の７セグメントＬＥＤ４１に「ＳＰＥｄ」が全て表示されると止まる（Ｅ６）。なお、逆に下層から中層に移動する場合には、上記した表示態様と逆の表示態様（点線矢印方向Ｅ６〜Ｅ１）で表示される。また、上段には７セグメントＬＥＤ４０を設けず、下段の７セグメントＬＥＤ４１のみを設ける構成としてもよい。
【００４２】
このようにすれば、移動する階層が上位階層（下位階層）であれば上方（下方）にスライド移動することとなるので視覚的にどの階層に移動したのかを認識することが容易になる。
【００４３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４４】
（１）上記実施形態では、上層、中層、下層の三層からなる階層構造に設定項目が分類されていたが、これに限らず、それ以上、若しくは二層の階層に設定項目が分類されていてもよい。
【００４５】
（２）上記実施形態では、表示手段として７セグメントＬＥＤを用いたが、移動する方向が認識できればこれに限らず、他の表示手段であってもよい。例えば、液晶ディスプレイ等でもよい。
【００４６】
（３）上記実施形態では、同層に移動する場合には、表示態様が変わらない構成としたが、同層に移動する場合には、上位階層又は下位階層に移動する場合とは表示の変化が異なる方向に移動する表示態様としてもよい。例えば、上下階層に移動するときに左右方向にスライド移動する表示態様とする場合には、同層に移動するときには上下方向にスライド移動する表示態様としてもよい。
【００４７】
（４）上記実施形態では、光電センサ１０は透過型の光電センサ１０としたが、他の光電センサであってもよい。例えば、反射した光の受光量から物体を検出するいわゆる反射型の光電センサであってもよい。
【００４８】
（５）上記実施形態では、検出センサは光電センサ１０としたが、磁気センサ（近接センサ）、超音波センサ等の他の検出センサであってもよい。
【図面の簡単な説明】
【００４９】
【図１】実施形態１の光電センサのブロック図
【図２】（ａ）上層の設定項目の切換えについて説明する概念図  （ｂ）中層及び下層の設定項目を表示態様と共に説明する概念図
【図３】（ａ）８桁の７セグメントＬＥＤにおいて中層の設定項目のスライド移動を示す図  （ｂ）４桁の７セグメントＬＥＤにおいて中層の設定項目のスライド移動を示す図
【図４】下層の設定項目のスライド移動を示す図
【図５】下層の設定項目の消灯する文字の移動を示す図
【図６】セグメントの移動により階層の移動を示す図
【図７】設定項目が上方向にスライド移動して下層に移動する様子を示す図
【符号の説明】
【００５０】
１０…光電センサ（検出センサ）
１５…ＣＰＵ（表示制御手段）
１８…ジョグスイッチ
１９…スイッチ入力回路
２０…表示回路
２１…デジタル表示器
２２…モードキー
２３…上４桁の７セグメントＬＥＤ（サブ表示手段）
２４…下４桁の７セグメントＬＥＤ（表示手段）
【図１】
2005195631.tif 000003
【図２】
2005195631.tif 000004
【図３】
2005195631.tif 000005
【図４】
2005195631.tif 000006
【図５】
2005195631.tif 000007
【図６】
2005195631.tif 000008
【図７】
2005195631.tif 000009